(57)【要約】      （修正有）【課題】グランドパッキンで軸封されるポンプのパッキン締付け具合の初期調整及び再調整の作業におけるポンプ軸への接触や巻き込まれの被害を未然に防止でき、かつ作業性の向上にも繋がる、ポンプ軸の安全カバーを提供すること。【解決手段】安全カバー３０は、一対の夫々が長さ方向の一端に留め穴付きのフランジ３２を有する半円筒体３１からなり、これらを合体してなる円筒体３４が軸露出箇所のポンプ軸２をそれとの同軸位置で隙間を介して囲い、かつ前記留め穴が締付け用ボルト６及び締付け用ナット７でパッキン押さえ５に固定する構成とした。【選択図】図４
2015169188.tif 000002
【特許請求の範囲】
【請求項１】
ポンプのスタフィングボックスに挿入したグランドパッキンをパッキン押さえで押さえ、該パッキン押さえをこれに付属の締付け用ボルト及び締付け用ナットで締付けることにより前記グランドパッキンで軸封される前記ポンプの軸露出箇所を囲う、ポンプ軸の安全カバーであって、
一対の夫々が長さ方向の一端に留め穴付きのフランジを有する半円筒体からなり、これらを合体してなる円筒体が前記軸露出箇所のポンプ軸をそれとの同軸位置で隙間を介して囲い、かつ前記留め穴が前記締付け用ボルト及び前記締付け用ナットで前記パッキン押さえに固定する構成としたことを特徴とするポンプ軸の安全カバー。
【発明の詳細な説明】
【技術分野】
【０００１】
本発明は、ポンプ軸の安全カバーに関し、詳しくは、グランドパッキン（一般に断面が角形で、スタフィングボックスに詰め込んで用いられるパッキンの総称）で軸封されるポンプにおけるポンプ軸（回転軸）への接触や巻き込まれの被害を未然に防止するための、ポンプ軸の安全カバーに関する。
【背景技術】
【０００２】
従来、回転物への接触や巻き込まれの被害を防止するために回転物を囲む手段として、以下のものが知られている。
（ｉ）駆動輪及び被駆動輪とこれらに架け渡される伝達ベルトとを回転可能な状態で囲むようにして作業者の安全を確保するために、前後一対のカバー半体を前後にスライド可能に連結して下面開放のカバー体を形成し、このカバー体の前後の各カバー半体の側壁に、その下縁から切欠をそれぞれ設けてなる安全カバー（特許文献１参照）。
（ｉｉ）高速切断機の生産性と安全度を向上させるために、円形の鋸刃の安全カバーを上下に分割し、上のカバーは固定式とし、下のカバーは、鋸刃が被切断材側へ下降しないときには鋸刃の下側半円部を覆い、鋸刃が被切断材側へ下降するときには鋸刃の下側半円部の覆いをとるように回転軸を介して回動可能な駆動式としたこと（特許文献２参照）。
【先行技術文献】
【特許文献】
【０００３】
【特許文献１】実用新案登録第３０３８７７１号公報
【特許文献２】特開平１０−２０２４２３号公報
【発明の概要】
【発明が解決しようとする課題】
【０００４】
一方、鉄鋼業等の製造業では種々の製造工程において、グランドパッキンで軸封されるポンプが多用されている。この種のポンプでは、例えば図１に示すように、ポンプ１の内部から外部へ貫通する軸穴１０に通した回転軸であるポンプ軸２と軸穴１０との隙間を封鎖するために設けられたスタフィングボックス３と呼ばれる軸封部にグランドパッキン４を挿入し、さらにパッキン押さえ５で締付けることにより、ポンプ軸表面およびスタフィングボックス内面に接触面圧を発生させて内部流体１１をシールする。前記締付けには、パッキン押さえ５に付属する締付け用ボルト６と締付け用ナット７が用いられる。すなわち、ポンプ１の躯体に固設した締付け用ボルト６を、パッキン押さえ５に穿設された貫穴１２に潜らせ、突き出た締付け用ボルト先端部に締付け用ナット７を螺合させこれを締り側に回すことにより前記締付けが行われる。なお、１５はポンプ軸２の軸受であり、この軸受１５はポンプ１の躯体に固定されている。
【０００５】
スタフィングボックス３へのグランドパッキン４の挿入作業は、ポンプ軸２の回転を停止させた状態で行うが、パッキン押さえ５による締付け作業にあたっては、グランドパッキン４の詰り具合を円周方向に均等化させるために、ポンプ軸２の回転状態下で、手動の工具で締付け用ナット７を回してパッキン締付け具合の初期調整を行う。また、グランドパッキン４はその挿入から取替えまでの連続使用期間中に徐々に摩耗が進行し、ポンプ軸表面およびスタフィングボックス内面における接触面圧が低減して内部流体１１のシール状態が不完全となるため、前記連続使用期間中に適宜の頻度で、初期調整と同じくポンプ軸２の回転状態下で、締付け用ナット７を回してパッキン締付け具合の再調整を行う。
【０００６】
前記パッキン締付け具合の初期調整及び再調整の作業は、ポンプ軸２が露出している箇所である軸露出箇所２０の近くで、ポンプ軸２の回転状態下で行われ、軸露出箇所２０の軸方向長さはかなり短い（例えば４０〜５０ｍｍ）のであるが、締付け用ナット７を回す手動の工具を持つ手が偶発的にポンプ軸２への接触や巻き込まれの被害を蒙る危険性があるのは否めない。
【０００７】
なお、安全性、作業性の両面から、締付け用ナット７を回す手動の工具（スパナまたはレンチ）としてラチェット式の工具を用いるのが最適である。ラチェット式の工具は、締付け締戻しの正逆双方向回転の何れか一方を選択的に空回りさせる機構を有し、工具を締付け用ナット７に噛ませたまま正転逆転の繰返しで締付けができて、ラチェット式でない工具（逆転の都度工具を締付け用ナット７から外して噛ませ直す必要がある）を用いる場合と比べて作業能率が格段に向上し、かつポンプ軸２への接近機会も低減するからである。
【０００８】
然しながら、そのように工具の最適化を図るだけでは、前記危険性をゼロにすることはできない。
そこで、本発明は、グランドパッキンで軸封されるポンプのパッキン締付け具合の初期調整及び再調整の作業におけるポンプ軸への接触や巻き込まれの被害を未然に防止でき、かつ作業性の向上にも繋がる、ポンプ軸の安全カバーを提供することを課題（本発明が解決しようとする課題）とした。
【課題を解決するための手段】
【０００９】
本発明者らは、前記課題を解決するために鋭意検討し、以下の要旨構成になる本発明を成した。
［１］  ポンプのスタフィングボックスに挿入したグランドパッキンをパッキン押さえで押さえ、該パッキン押さえをこれに付属の締付け用ボルト及び締付け用ナットで締付けることにより前記グランドパッキンで軸封される前記ポンプの軸露出箇所を囲う、ポンプ軸の安全カバーであって、
一対の夫々が長さ方向の一端に留め穴付きのフランジを有する半円筒体からなり、これらを合体してなる円筒体が前記軸露出箇所のポンプ軸をそれとの同軸位置で隙間を介して囲い、かつ前記留め穴が前記締付け用ボルト及び前記締付け用ナットで前記パッキン押さえに固定する構成としたことを特徴とするポンプ軸の安全カバー。
【発明の効果】
【００１０】
本発明によれば、グランドパッキンで軸封されるポンプのパッキン締付け具合の初期調整及び再調整の作業におけるポンプ軸への接触や巻き込まれの被害を未然に防止でき、かつ作業性の向上にも繋がると云う効果を奏する。
【図面の簡単な説明】
【００１１】
【図１】ポンプの軸封部の一例を示す概略図である。
【図２】本発明に係る安全カバーの一例を示す分解図である。
【図３】本発明に係る安全カバーの一例を示す合体図である。
【図４】本発明の実施形態の一例を示す取付け図である。
【発明を実施するための形態】
【００１２】
本発明に係る安全カバーの一例を図２に示す。この安全カバー３０は、例えば図１に示したポンプ１のスタフィングボックス３に挿入したグランドパッキン４をパッキン押さえ５で押さえ、該パッキン押さえ５をこれに付属の締付け用ボルト６及び締付け用ナット７で締付けることにより前記グランドパッキン４で軸封される前記ポンプ１の軸露出箇所２０を囲う、ポンプ軸２の安全カバーである。
【００１３】
図２に示すように、本発明に係る安全カバー３０は、一対の夫々が長さ方向の一端に留め穴３３付きのフランジ３２を有する半円筒体３１からなり、そして図３に示すように、前記一対の半円筒体３１、３１を合体してなる円筒体３４が前記軸露出箇所２０のポンプ軸２をそれとの同軸位置で隙間３５を介して囲い、かつ前記留め穴３３が前記締付け用ボルト６及び前記締付け用ナット７で前記パッキン押さえ５に固定する構成とした。
【００１４】
前記隙間３５の幅（ポンプ軸半径方向での隙間寸法）は、過小であると円筒体３４の内面がポンプ軸２で擦られて破損することが懸念され、一方、過大であると円筒体３４の外面と締付け用ナット７の間隔が狭くなりすぎ、スパナ又はレンチである工具（好ましくはラチェット式の工具）を締付け用ナット７に噛ませにくくなって作業性を損うことが懸念されることから、１〜１０ｍｍの範囲とするのが好ましい。
【００１５】
安全カバー３０の材質は、鋼（炭素鋼、ステンレス鋼等）、非鉄金属（アルミ、銅等）、合成樹脂（塩ビ等）の何れであってもよい。なお、強度および耐久性に優れ、耐食性にも優れると云う観点からすれば、ステンレス鋼（例えばＳＵＳ３０４）が最適である。
本発明では、上記構成としたので、フランジ３２の留め穴３３に締付け用ボルト６を通し、締付け用ナット７でパッキン押さえ５に固定することで、図４に示すように、安全カバー３０を、締付け用ナット７の付近で露出していたポンプ軸２を囲える箇所に固定配置することができる。
【００１６】
安全カバー３０の取付けは、ポンプ軸２の停止状態下のグラントパッキン４の挿入の時に行っておく。パッキン締付け具合の初期調整および再調整に際しては、ポンプ軸２は回転状態とされるが、取り付けられたままの安全カバー３０の外側から工具で締付け用ナット７を回すことができるから、工具が回転状態のポンプ軸２に接触する危険性はゼロとなり、安全性が究極まで向上する。また、工具で締付け用ナット７を回す際、工具が安全カバー３０と接触することがあっても巻き込まれが生じることは無く、作業者は安心感を持ってパッキン締付け具合の初期調整および再調整の作業に専念できて、作業性の向上にも繋がる。
【符号の説明】
【００１７】
１  ポンプ
２  ポンプ軸
３  スタフィングボックス
４  グランドパッキン
５  パッキン押さえ
６  締付け用ボルト
７  締付け用ナット
１０  軸穴
１１  内部流体
１２  貫穴
１５  軸受
２０  軸露出箇所（ポンプ軸が露出している箇所）
３０  安全カバー
３１  半円筒体
３２  フランジ
３３  留め穴
３４  円筒体
３５  隙間
【図１】
2015169188.tif 000003
【図２】
2015169188.tif 000004
【図３】
2015169188.tif 000005
【図４】
2015169188.tif 000006